(57)【特許請求の範囲】
【請求項１】
通気用または部材挿通用の開口を適宜に有する床面形成用の複数枚のパネル本体と、
互いの繋ぎ合せおよび分離が自在な形状を周縁に有し、その繋ぎ合せおよび前記開口への載置により、開口の任意の領域を閉塞するとともにその閉塞領域の面積と形を調節し得る複数枚のパネル片と、
を備えたことを特徴とするフロア用パネル。
【請求項２】
二重床の内部空間を通して室内に空調用空気を供給するものにおいて、
通気用または部材挿通用の開口を適宜に有し、前記二重床の上部床面を形成する複数枚のパネル本体と、
互いの繋ぎ合せおよび分離が自在な形状を周縁に有し、その繋ぎ合せおよび前記開口への載置により、開口の任意の領域を閉塞するとともにその閉塞領域の面積と形を調節し得る複数枚のパネル片と、
を備えたことを特徴とするフロア用パネル。
【請求項３】
二重床の内部空間を通して室内に空調用空気を供給するものにおいて、
通気用または部材挿通用の開口を適宜に有し、前記二重床の上部床面を形成する複数枚のパネル本体と、
互いの繋ぎ合せおよび分離が自在な形状を周縁に有し、その繋ぎ合せおよび前記開口への載置により、開口の任意の領域を閉塞するとともにその閉塞領域の面積と形を調節し得る複数枚のパネル片と、
これらパネル片における前記各パネル本体と対応する側の面に設けられ、前記各パネル本体への吸着により、前記各パネル片を前記各パネル本体に取外し自在に固定する吸盤と、
を備えたことを特徴とするフロア用パネル。
【発明の詳細な説明】
【０００１】
【発明の属する技術分野】
この発明は、二重床のフリーアクセスフロアに使用するフロア用パネルに関する。
【０００２】
【従来の技術】
コンピュータや通信機器を室内に設置する場合、二重床を採用し、電気ケーブルを床内空間に収めることが行なわれる。
二重床は、基礎床面の上に多数本の支持脚を介して上部床面を設けた構造であり、上部床面は多数枚のパネルの配列により形成される。これらパネルは保守点検時など必要に応じて着脱が自在であり、このことから上部床面のことを一般にフリーアクセスフロアと称している。
【０００３】
また、二重床は、フロア上の機器が運転中に発熱することに対処し、空気調和機が送出する冷却用空気をフリーアクセスフロアの下の床内空間を通して機器に供給するなど、空調設備としても利用される。
【０００４】
空調設備として利用する場合、フリーアクセスフロアを形成する各パネルのうち、必要箇所のパネルに通気用の開口が形成される。実際には通気用の開口を有する通気用パネルがあらかじめ用意され、それが必要箇所に配置される。
【０００５】
通気用パネルとしては、フロア上の機器の発熱量が機器ごとに異なる点に対処し、また床内空間の通風状況が電気ケーブルの混み具合などに応じて異なる点に対処し、開口の形態が異なる多種のものがあらかじめ用意される。通気用パネルを機器の発熱量など条件に合わせて個別に作製することもある。
【０００６】
【発明が解決しようとする課題】
多種の通気用パネルを用意しておく場合、多種の中から最適な通気用パネルを捜し出すのに手間と時間がかかってしまう。まったく使用しない通気用パネルも存在することになり、無駄が多い。
【０００７】
かといって、通気用パネルの種類が少ないと、適合が不十分となって機器に対する適切な冷却作用が得られなくなり、機器に悪影響を及ぼしたり、空調用動力が増して運転コストが増大するなどの不具合を生じる。
【０００８】
通気用パネルを条件に合わせて個別に作製する場合には、機器の発熱量や設置位置が変わるなどの条件変化に伴い、その条件に合う通気用パネルを新たに作製しなければならず、不経済である。
【０００９】
条件変化に伴い、通気用パネルの開口を加工することも考えられるが、その作業は大変で、しかも時間と費用がかかってしまう。
また、設置済みの機器の電気ケーブルや配管が通気用パネルの開口に通されている場合、通風量調節を目的として通気用パネルを別のものに交換するためには、電気ケーブルや配管を機器から取り外し、その電気ケーブルや配管を新しい通気用パネルの開口に通して再び機器に接続するなどの処置が必要となる。この処置のために、設置済みの重い機器を動かすこともあり、作業が大変である。
【００１０】
第１の発明のフロア用パネルは、多種の通気用パネルを用意する必要なく、条件に合う通気用パネルをいちいち作製する必要なく、設置済みの機器、ケーブル、配管等を動かす必要もなく、またケーブルや配管等の部材の容易な挿通を可能としながら、フロア上の機器に対する冷却作用を常に最適な状態に容易にしかも安価に設定できることを目的とする。
【００１１】
第２の発明のフロア用パネルは、多種の通気用パネルを用意する必要なく、条件に合う通気用パネルをいちいち作製する必要なく、設置済みの機器、ケーブル、配管等を動かす必要もなく、またケーブルや配管等の部材の容易な挿通を可能としながら、二重床上の機器に対する冷却作用を常に最適な状態に容易にしかも安価に設定できることを目的とする。
【００１２】
第３の発明のフロア用パネルは、多種の通気用パネルを用意する必要なく、条件に合う通気用パネルをいちいち作製する必要なく、設置済みの機器、ケーブル、配管等を動かす必要もなく、またケーブルや配管等の部材の容易な挿通を可能としながら、しかも風圧を受けたり保守員が誤って触れたぐらいでは容易に動いてしまうことなく、二重床上の機器に対する冷却作用を常に最適な状態に容易にしかも安価に設定できることを目的とする。
【００１３】
【課題を解決するための手段】
第１の発明のフロア用パネルは、通気用または部材挿通用の開口を適宜に有する床面形成用の複数枚のパネル本体と、互いの繋ぎ合せおよび分離が自在な形状を周縁に有し、その繋ぎ合せおよび上記開口への載置により、開口の任意の領域を閉塞するとともにその閉塞領域の面積と形を調節し得る複数枚のパネル片と、を備える。
【００１４】
第２の発明のフロア用パネルは、二重床の内部空間を通して室内に空調用空気を供給するものにおいて、通気用または部材挿通用の開口を適宜に有し、上記二重床の上部床面を形成する複数枚のパネル本体と、互いの繋ぎ合せおよび分離が自在な形状を周縁に有し、その繋ぎ合せおよび上記開口への載置により、開口の任意の領域を閉塞するとともにその閉塞領域の面積と形を調節し得る複数枚のパネル片と、を備える。
【００１５】
第３の発明のフロア用パネルは、二重床の内部空間を通して室内に空調用空気を供給するものにおいて、通気用または部材挿通用の開口を適宜に有し、上記二重床の上部床面を形成する複数枚のパネル本体と、互いの繋ぎ合せおよび分離が自在な形状を周縁に有し、その繋ぎ合せおよび上記開口への載置により、開口の任意の領域を閉塞するとともにその閉塞領域の面積と形を調節し得る複数枚のパネル片と、これらパネル片における上記各パネル本体と対応する側の面に設けられ、上記各パネル本体への吸着により、上記各パネル片を上記各パネル本体に取外し自在に固定する吸盤と、を備える。
【００１６】
【発明の実施の形態】
以下、この発明の一実施例について図面を参照して説明する。
まず、二重床構造を図７に示す。
１は建物の室内で、基礎床面１ａ、壁面１ｂ、および天井面１ｃで囲まれている。基礎床面１ａに多数本の支持脚（図示しない）を介して上部床面２が設けられ、その上部床面２の上に複数台の機器３が設置される。
【００１７】
各機器３の設置に当たっては、あらかじめ台数分の架台４が用意され、これら架台４が上部床面２の所定位置にたとえばボルト締めなどで固定され、その上に各機器３が載置される。架台４には車輪の付いた可動式のものなど、種々が用意される。
【００１８】
上部床面２の下に内部空間５が確保され、そこに各機器３の電気ケーブル（図示しない）が収容される。
上部床面２は、多数枚のパネル（後述するパネル本体１１）の配列により形成されており、保守点検時など必要に応じて各パネルの着脱が自在であることから、一般にフリーアクセスフロアと称される。以下、上部床面２のことをフリーアクセスフロア２と称する。
【００１９】
また、フリーアクセスフロア２の上に空気調和機６が設置される。この空気調和機６は、室内１の空気を上部吸込口６ａから吸い込んで冷却し、その冷却後の空気を冷却用空気として下部吹出口６ｂから送出する。空気調和機６の電気ケーブルおよび配管も内部空間５に収容される。
【００２０】
フリーアクセスフロア２において、各機器３が設置される箇所および空気調和機６が設置される箇所にそれぞれ通気口２ａが形成される。空気調和機６から送出される冷却用空気は通気口２ａを通って内部空間５に流れ、その内部空間５から各通気口２ａを通って各機器３（各架台４）に流れる。
【００２１】
各架台４は、下面部に通気口４ａ、上面部に通気口４ｂを有する。各機器３は、筐体の下面部に通気口３ａ、筐体の上面部に通気口３ｂを有し、さらに通気口３ｂの内側にファン３ｆを有する。ファン３ｆは、機器３の運転中に動作して通気口３ａから通気口３ｂにかけての通気経路を形成する。
【００２２】
したがって、空気調和機６が運転されると、空気調和機６から送出される冷却用空気がフリーアクセスフロア２の通気口２ａを通って内部空間５に流れる。内部空間５に流れた冷却用空気は、空気調和機６の送風圧およびファン３ｆの吸入圧を受けて、フロア面の通気口２ａから架台４に流入し、機器３の筐体内へと流れる。機器３の筐体内に流れた冷却用空気はその筐体内の発熱源を冷却した後、室内１へ放出される。この放出される空気は空気調和機６に吸い込まれ、再び冷却用空気となる。
【００２３】
このような二重床構造において、フリーアクセスフロア２は、図２に示すパネル本体１１の配列により形成される。
パネル本体１１は、通気用および部材挿通用の開口１２を備えたものと、開口１２を備えないものとが多数枚用意される。これらパネル本体１１のうち、開口１２を備えたパネル本体１１が各機器３および空気調和機６の設置位置と対応するよう、各パネル本体１１の配列がなされる。すなわち、開口１２は、上記通気口２ａとして機能する。
【００２４】
そして、図１に示すように、各パネル本体１１の開口１２と対応する位置に、複数枚のパネル片２１からなる板状体が載置され、その載置により開口１２の任意の領域が閉塞される。
【００２５】
開口１２において、各パネル片２１で閉塞されない領域は、機器３に対する空調用空気の供給を賄うとともに、機器３の電気ケーブル３１や空気調和機６の配管等の部材を挿通するための挿通孔として利用される。
【００２６】
各パネル片２１は、図３に示すように、正方形で、互いの繋ぎ合せおよび分離が自在な凸形状部２１ａと凹形状部２１ｂを四辺の周縁にそれぞれ有する。
凸形状部２１ａは、周縁から外へと台形状に拡がるように突出している。凹形状部２１ｂは、周縁から内へと台形状に拡がるように凹んでおり、他のパネル片２１の凸形状部２１ａを寸法的にぴったりと収容してその凸形状部２１ａとしっかり係合する大きさに作られている。この係合作用は、各パネル片２１の重さや空調用空気の風圧では崩れないだけの十分な保持力を発揮する。
【００２７】
凸形状部２１ａおよび凹形状部２１ｂの相互の係合によって各パネル片２１を任意の大きさおよび形に繋ぎ合せることで、開口１２に対する閉塞領域の面積と形を自由に調節することができる。
【００２８】
すなわち、設置する機器３の発熱量を考慮しながら、また機器３の電気ケーブル３１や空気調和機６の配管の挿通状況を考慮しながら、さらには内部空間５の通気状況（電気ケーブル３１や配管の込み具合による通気抵抗など）を考慮しながら、各パネル片２１を適宜の大きさおよび形に繋ぎ合せ、それを開口１２に載置することになる。これにより、開口１２の通気量を機器３の冷却にとって最適な状態に容易に調整できる。
【００２９】
また、図４および図５に示すように、各パネル片２１の下面（パネル本体１１と対応する側の面）の四隅に、固定手段たとえばゴム製の吸盤２２が取付けられる。図４はパネル片２１を下面側から見た図、図５はパネル片２１を側方から見た図である。
【００３０】
各吸盤２２は、図６に示すように、パネル片２１の上面側からの押圧によってパネル本体１１に吸着し、パネル片２１をパネル本体１１に取外し自在に固定する働きをする。開口１２を通る空調用空気の風圧が各パネル片２１にかかっても、保守員が誤って各パネル片２１に触れても、吸盤２２の吸着作用と上記した凸形状部２１ａおよび凹形状部２１ｂの係合作用とにより、各パネル片２１の崩れや飛散が未然に防止される。
【００３１】
なお、吸盤２２は全てのパネル片２１に取付けてもよいし、開口１２の周囲に位置するであろう所定枚数のパネル片２１に取付けてもよい。
したがって、従来のように多種の通気用パネルを用意する必要なく、また条件に合う通気用パネルをいちいち作製する必要もなく、また電気ケーブル３１や配管等の部材の容易な挿通を可能としながら、しかも空調用空気の風圧の影響を受けることなく、二重床上の各機器３に対する冷却作用を常に最適な状態に設定できる。これにより、各機器３を安全にしかも安定運転することができ、ひいては消費電力が少なくなって運転コストの低減も図れる。
【００３２】
パネル本体２１の開口１２にすでに電気ケーブル３１や配管が通っている場合には、その電気ケーブル３１や配管を囲むように、各パネル本体２１を自由に繋ぎ合せることができる。この自由な繋ぎ合せにより、設置済みの空気調和機６、電気ケーブル３１、配管等を動かすことなく、通風量の調節を簡単に済ませることができる。
【００３３】
電気ケーブル３１や配管の位置を調整したり、パネル本体１１を交換するような場合には、開口１２に載置されている各パネル片２１をすぐに取除き、調整や交換など必要な作業を迅速に行うことができる。このとき、取除いた各パネル片２１を分離し、それを再び繋ぎ合せて利用することができる。各パネル片２１を無駄なく活用できる。
【００３４】
なお、上記実施例では、各パネル片２１を分離可能に繋ぎ合せるための手段として、台形の凸形状部２１ａおよび凹形状部２１ｂを採用したが、その凸形状部２１ａおよび凹形状部２１ｂの形そのものについて限定はなく、同様の機能を発揮するのであれば他の形でもよい。
【００３５】
上記実施例では、パネル片２１をパネル本体１１に固定するための固定手段としてゴム製の吸盤２２を用いたが、取外し自在な固定機能を発揮するものであれば、他の手段を用いてもよい。空調用空気の風圧では固定作用が損なわれず、また保守員が誤って触れたぐらいでは固定作用が損なわれず、ある程度以上の強さの人為的な作用を加えることで初めて取外しができるような、たとえば、接着剤の使用が可能である。
【００３６】
上記実施例では、フリーアクセスフロア２に架台４を設置し、その架台４の上に機器３を載置する場合を例に説明したが、架台４を用いず、機器３をフリーアクセスフロア２に直接的に設置する場合にも同様に実施可能である。
その他、この発明は上記実施例に限定されるものではなく、要旨を変えない範囲で種々変形実施可能である。
【００３７】
【発明の効果】
以上述べたように、この発明によれば、多種の通気用パネルを用意する必要なく、条件に合う通気用パネルをいちいち作製する必要なく、設置済みの機器、ケーブル、配管等を動かす必要もなく、またケーブルや配管等の部材の容易な挿通を可能としながら、フロア上の機器に対する冷却作用を常に最適な状態に容易にしかも安価に設定できるフロア用パネルを提供できる。
【図面の簡単な説明】
【図１】一実施例の全体的な構成を示す斜視図。
【図２】同実施例のパネル本体の構成を示す斜視図。
【図３】同実施例の各パネル片の構成および繋ぎ合せ状態を示す図。
【図４】同実施例のパネル片の下面側の構成を示す図。
【図５】同実施例のパネル片の構成を側方から見た図。
【図６】同実施例のパネル片がパネル本体に固定された状態を側方から見た図。
【図７】同実施例に関わる二重床を備えた室内の構成を断面して示す図。
【符号の説明】
１…室内
２…フリーアクセスフロア
３…機器
５…内部空間
６…空気調和機
１１…パネル本体
１２…開口
２１…パネル片
２１ａ…凸形状部
２１ｂ…凹形状部
２２…吸盤（固定手段）
【図１】
0003587628.tif 000002
【図２】
0003587628.tif 000003
【図３】
0003587628.tif 000004
【図４】
0003587628.tif 000005
【図５】
0003587628.tif 000006
【図６】
0003587628.tif 000007
【図７】
0003587628.tif 000008